(57)【要約】      （修正有）【課題】リフタがバケットによって捕捉し放出した玉を、分配具と分散具によって回収部に至るまでに、多様な運動変化をする様を演出しゲーム者の興味を喚起することができる遊技機を提供する。【解決手段】内部に流水移動される水と該水に浮遊させられる玉４とを収容する水槽５と、該水槽５上に立設される遊技機本体部３と、上記水槽５内に浮遊する玉４を順次掬い上げて該遊技機本体部３内において上方より落下放出させるバケット２４付のリフタ１９と、リフタ１９より放出された玉４を受け取って遊技機本体部３より不規則に分散させて水槽５内に落下させる分散装置とを備えて遊技機を構成する。上記分散装置が上記バケット２４からの玉４を受止めて玉４を左右に振り分けて放出する分配具３８と、該分配具３８より放出された玉４をさらに左右に振り分けて分散させて放出し落下させる分散具３９とを備えている。【選択図】図２
0003153991.tif 000002
【実用新案登録請求の範囲】
【請求項１】
内部に流水移動される水と該水に浮遊させられる玉（４）とを収容する水槽（５）と、該水槽（５）上に立設される遊技機本体部（３）と、上記水槽（５）内に浮遊する玉（４）を順次掬い上げて該遊技機本体部（３）内において上方より落下放出させるバケット（２４）付のリフタ（１９）と、リフタ（１９）より放出された玉（４）を受け取って遊技機本体部（３）より不規則に分散させて水槽（５）内に落下させる分散装置（２１）とを備えた遊技機において、分散装置（２１）が上記バケット（２４）からの玉（４）を受止めて玉（４）を左右に振り分けて放出する分配具（３８）と、該分配具（３８）より放出された玉（４）をさらに左右に振り分けて分散させて放出し落下させる分散具（３９）とを備えてなる遊技機。
【請求項２】
分配具（３８）が玉（４）を受止めることによって時計方向又は反時計方向に回動し、該回動の方向によって右方向又は左方向の上方から玉（４）を放出落下させる請求項１の遊技機。
【請求項３】
分散具（３９）が分配具（３８）からの玉（４）の放出を受けて右方向又は左方向に回動又は回転することにより、玉（４）を右方向又は左方向に分散させて放出する請求項１又は２の遊技機。
【請求項４】
リフタ（１９）が支持軸（２６）を中心に時計方向又は反時計方向に回転する回転体（２３）を備え、該回転体（２３）にバケット（２４）を取付けた請求項１又は２又は３の遊技機。
【請求項５】
バケット（２４）の近傍に、玉（４）の掬い取り位置で水を汲み取り、上方の玉放出位置で放出する散水具（３１）を設けた請求項１又は２又は３又は４の遊技機。
【請求項６】
バケット（２４）に正面側を覆い正面に装飾を施した装飾板（３４）を設けた請求項１又は２又は３又は４又は５の遊技機。
【請求項７】
分配具（３８）を、下向きの湾曲状に形成した底壁（４１）に前壁（４２）と後壁（４３）を立設した容器にするとともに、容器の左右中間位置を玉放出部の下方に設置される前後方向の支持軸（３７）に揺動可能に支持した請求項１又は２又は３又は４又は５又は６の遊技機。
【請求項８】
分散具（３９）を、複数の羽根（４６）を放射方向に突設した羽根車にするとともに、分配具（３８）の下方に設置される前後方向の支持軸（４８）に回転可能に支持した請求項１又は２又は３又は４又は５又は６又は７の遊技機。
【請求項９】
分散具（３９）の下方に分散具（３９）より放出された玉（４）を遊技機本体部（３）の内部より正面側の水中に放出するように案内するシューター（２２）を設け、水槽（５）の上記遊技機本体部（３）の正面側に、水流中に回遊する玉（４）を捕捉することを競う遊技スペース（１０）を設けた請求項１又は２又は３又は４又は５又は６又は７又は８の遊技機。
【請求項１０】
水槽（５）内に、水槽（５）内の水を水平方向に周回させて循環させる水流発生装置（７）を設け、上記循環する流水路の途中の遊技機本体部（３）の正面側に遊技スペース（１０）を、遊技機本体部（３）内の下方にリフタ（１９）によって玉（４）を掬い取る回収部とを設けてなる請求項９の遊技機。
【請求項１１】
遊技機本体部（３）の正面側を覆う前側カバー体（１１）,（１１ａ）を設け、該前側カバー体（１１）,（１１ａ）が透明な板材よりなる請求項１又は２又は３又は４又は５又は６又は７又は８又は９又は１０の遊技機。
【考案の詳細な説明】
【技術分野】
【０００１】
この考案は、遊技機に関する。
【背景技術】
【０００２】
従来、主にボール等の玉を連動落下させながらその挙動を人手による操作で、落下位置や軌道軌跡を人為的に操作する遊技機が知られている（特許文献１参照）。一方、機体内の空気中に送風によって浮遊する中空の玉を掬い取る技を競う遊技具も特許文献２に示すように知られている。
【先行技術文献】
【特許文献】
【０００３】
【特許文献１】特開２００３−１３５８３８号公報
【特許文献２】特開平１１−１８８１７４号公報
【考案の概要】
【考案が解決しようとする課題】
【０００４】
しかし、上記特許文献１の考案では、玉の挙動制御は行えるが、不規則に変動する玉を捕捉するのみではなく、同文献上の発明では下方から上向きの逆風によりピンポン玉を浮遊させながらこれを掬い取るものの、送風により浮遊動できる軽量のもの以外には適用できないという制限がある。
この考案は、一定の重量のあるボール類であっても、変化に富んだ運動を付与しながら落下させ、これを捕捉する技術を競うことができると共に、落下したボール類を自動的に回収して再度上昇させて放出落下させる循環作動型の遊技機を提供する。
【課題を解決するための手段】
【０００５】
上記課題を解決する本考案の遊技機は、第１に、内部に流水移動される水と該水に浮遊させられる玉４とを収容する水槽５と、該水槽５上に立設される遊技機本体部３と、上記水槽５内に浮遊する玉４を順次掬い上げて該遊技機本体部３内において上方より落下放出させるバケット２４付のリフタ１９と、リフタ１９より放出された玉４を受け取って遊技機本体部３より不規則に分散させて水槽５内に落下させる分散装置２１とを備えた遊技機において、分散装置２１が上記バケット２４からの玉４を受止めて玉４を左右に振り分けて放出する分配具３８と、該分配具３８より放出された玉４をさらに左右に振り分けて分散させて放出し落下させる分散具３９とを備えてなることを特徴としている。
【０００６】
第２に、分配具３８が玉４を受止めることによって時計方向又は反時計方向に回動し、該回動の方向によって右方向又は左方向の上方から玉４を放出落下させることを特徴としている。
【０００７】
第３に、分散具３９が分配具３８からの玉４の放出を受けて右方向又は左方向に回動又は回転することにより、玉４を右方向又は左方向に分散させて放出することを特徴としている。
【０００８】
第４に、リフタ１９が支持軸２６を中心に時計方向又は反時計方向に回転する回転体２３を備え、該回転体２３にバケット２４を取付けたことを特徴としている。
【０００９】
第５に、バケット２４の近傍に、玉４の掬い取り位置で水を汲み取り、上方の玉放出位置で放出する散水具３１を設けたことを特徴としている。
【００１０】
第６に、バケット２４に正面側を覆い正面に装飾を施した装飾板３４を設けたことを特徴としている。
【００１１】
第７に、分配具３８を、下向きの湾曲状に形成した底壁４１に前壁４２と後壁４３を立設した容器にするとともに、容器の左右中間位置を玉放出部の下方に設置される前後方向の支持軸３７に揺動可能に支持したことを特徴としている。
【００１２】
第８に、分散具３９を、複数の羽根４６を放射方向に突設した羽根車にするとともに、分配具３８の下方に設置される前後方向の支持軸４８に回転可能に支持したことを特徴としている。
【００１３】
第９に、分散具３９の下方に分散具３９より放出された玉４を遊技機本体部３の内部より正面側の水中に放出するように案内するシューター２２を設け、水槽５の上記遊技機本体部３の正面側に、水流中に回遊する玉４を捕捉することを競う遊技スペース１０を設けたことを特徴としている。
【００１４】
第１０に、水槽５内に、水槽５内の水を水平方向に周回させて循環させる水流発生装置７を設け、上記循環する流水路の途中の遊技機本体部３の正面側に遊技スペース１０を、遊技機本体部３内の下方にリフタ１９によって玉４を掬い取る回収部とを設けてなることを特徴としている。
【００１５】
第１１に、遊技機本体部３の正面側を覆う前側カバー体１１,１１ａを設け、該前側カバー体１１,１１ａが透明な板材よりなることを特徴としている。
【考案の効果】
【００１６】
本考案による遊技機は次のような効果を奏する。請求項１の考案によれば、リフタがバケットによって捕捉した玉を、分配具に向けて放出し、さらにその玉を分配具によって受け左右に振り分けて放出し、該玉を対応する下方の分散具に向けて不規則に接当させる。また分散具は接当した玉を不規則な軌跡を描いて広く分散し落下させるので、バケットから放出される玉が回収部に至るまでに多様な運動変化をする様を外観でき興味を喚起することができる。
【００１７】
請求項２,３の考案によれば、玉を第１段階，第２段階でそれぞれ左右に振り分けて不規則で変化に富んだ玉の流れを作ることができる。
請求項４によりリフタは回転体の動きにより持上げられ、落下分配されるので、本体部に沿って広い範囲で変化に富んだ分散をする。
【００１８】
請求項５の考案によれば、バケットの近傍に散水具を設けることにより、玉回収部で収容した水を保持し玉放出位置で放出させることができると共に、水を玉の放出軌跡と略同じ軌跡を有して分散装置に向けて散水することができる。
【００１９】
請求項６の考案によれば、バケットを装飾板によって正面側から覆うことにより、バケットに収容される玉を外観させることなく隠すと共に、装飾板の表面に玉の放出と関連付けた意匠等を自由に施し興味を惹くようにすることができる。
【００２０】
請求項７の考案によれば、下向き湾曲状の底壁に前壁と後壁を立設した分配具は、バケットから放出される玉を受けて支持軸を支点に玉を受けた方向に回動すると共に、前壁と後壁により玉の前後方向への漏れ出しを防止し、底壁が湾曲面によって玉を中央に集めるようにするため、下降傾斜するとき、玉の一挙放出を規制して左右に振り分けつつ分散具に平均的に分配放出することができる。
【００２１】
請求項８の考案によれば、分散具は分配具から放出される玉の供給を羽根が受け、支持軸を中心に受けた方向に回転するので、玉を左右に不規則に分散させて下方のシューターに供給することができる。また玉を分散させる様を分散装置の動きに連動させて一連に外観することができるので、使用者の興味を換気することができる。
【００２２】
請求項９により上方で不規則に分散された玉はシューターによって本体部の正面側の遊技スペースに放出されて、子供等のゲーム性に富んだ遊技に供される。
また請求項１０により玉は水槽内の流水によって回遊しながら遊技に供され、リフタによって回収され再供給される
【図面の簡単な説明】
【００２３】
【図１】本考案が適用された遊技機を一部破断をして示す正面図である。
【図２】図１の側断面図である。
【図３】図１の平面図である。
【図４】本考案の要部の構成を示す斜視図である。
【考案を実施するための形態】
【００２４】
以下、図示する例に基づき考案の実施形態を説明する。図１，２は、本考案の遊技機１の正面図及び要部を右側面から見た要部断面図である。この遊技機１は、機体下部にある遊技部２と、遊技機１全体のカバーを兼ねて全体のフレームを構成する本体部３から構成され、本体部３で配送される玉４を遊技部２内に供給し、遊技部２内で例えば金魚掬いで用いられるようなタモや擬似的な釣り針等適宜な遊技具を使い、玉４を人為的に扱うことができる構造である。
【００２５】
先ず遊技部２の構成を説明する。図示例の遊技部２は、平面視で方形状をなす所定深さの水槽としており、一般的には金魚掬いで用いられるものと同様に水槽５の上縁部に外側に向く鍔片６を一体的に形成している。この遊技部２は容器の左奥側に水中ポンプ７を設置しており、所定量の水を溜めた状態で水中ポンプ７を作動させると、左奥側で吸い込んだ水を右奥側に向けて排出し容器内に左回りの水流を形成する。
【００２６】
また遊技部２は、容器の奥行きの半分以下に収まるようにしたサイズの本体部３を、左右の鍔片６に載置した状態で奥側に配置し固定することができる。この際に本体部３の前壁８を水中に延長して、左右に後述する流路９，９ａを形成して仕切ることにより、手前側に広いスペースの遊技スペース１０と、奥側に水を左側から右側に移動させる奥側流路９ｂを形成している。
【００２７】
これにより遊技機１は、水中ポンプ等からなる水流発生装置７の作動によって生ずる左回りの水流に乗る玉４を、奥側流路９ｂから左流路９を経て流れが緩やかとなる遊技スペース１０に送り、該遊技スペース１０内で滞留状に回遊したのち右流路９ａから、奥側流路９ｂに回遊循環させることができる。
尚、奥側流路９ｂの幅は、複数の玉４が同時に通過するのに十分な寸法にしていると共に、バケット２４を備えるリフタ１９の設置スペースにしている。
【００２８】
次に本体部３の構成を説明する。本体部３は全体をカバー体で覆っており、カバー体は前記遊技スペース１０側に位置する前壁８として下部及び上部を覆う前側カバー体１１，１１ａと、左側カバー体１２と右側カバー体１３と、天井部を覆う天井カバー１４と、機体背後を閉鎖する後側カバー体１６等から成る。上記前側カバー体１１は、左側カバー体１２と右側カバー体１３とを接続する構造壁とし、前側カバー体１１ａは透明板となし前面の上方を着脱可能に覆う構造としている。
【００２９】
また前側カバー体１１は、その壁面下部を延長し遊技部２の底面に近接させて水槽の前後を仕切り、且つ下部左右のコーナー部を切欠することにより、前記流路９，９ａを形成し遊技スペース１０と奥側流路９ｂとを連通させている。
本体部３は下部前後の台フレーム１７を機体の左右にややはみ出させて設けることにより、水槽容器の鍔片６の上に安定よく載置固定している。図示例の台フレーム１７は角棒状となし、左側カバー体１２と右側カバー体１３の前後位置をそれぞれ強固に接続しており、且つ台フレーム１７は上記はみ出し長さを任意に設定することができ、本体部３をサイズの異なる遊技部２に対しても安定よく簡単にセットすることができる。
【００３０】
上記のように形成される本体部３の室内には、奥側流路９ｂに玉回収部9ｃで玉４を捕捉回収して上昇搬送し搬送頂上部の玉放出部において放出するリフタ１９と、放出される玉４を受けて左右に分配しつつ分散させる分散装置２１と、分散状態で落下する玉４を受けて収集し遊技スペース１０に放出するシューター２２を設置している。
【００３１】
図示例のリフタ１９は回転駆動されるリング状フレームの回転体２３と、該回転体２３の外周に略等間隔を有して取付けられるバケット２４等からなり、前側カバー体１１と後側カバー体１６に設けたメタル部に挿入した支持軸２６に、回転体２３の中心を複数のスポーク２３ａを介して支持している。上記支持軸２６は後側カバー体１６の背後に突出する軸端にプーリ２７を設けており、後側カバー体１６の背面の設置したモータ２８からベルト伝動されることにより、回転体２３を矢印方向に回転速度調節可能に回転させる。
【００３２】
バケット２４は格子状をなす網板（金網）によって図２，図４で示すように、底壁２４ａの外端に掬い壁２４ｂと内端に放出壁２４ｃとを立設し、両者を底壁２４ａの前後に立設した側壁２４ｄで接続した方形状の篭型にしている。そして、バケット２４は回転体２３に玉４を掬って捕捉する掬い角及び玉４を玉放出部で放出させる放出角を有して取付けている。これらの角度設定により各バケット２４からの玉４の放出位置が決められる。
【００３３】
これによりリフタ１９の回転体２３は奥側流路９ｂの左右中間位置の玉回収部（捕捉部）９ｃにおいて、バケット２４を水中に掬い角を有して所定深さに侵入させ、放出壁２４ｃを没入させない状態で円弧を描いて移動させる。この際にバケット２４は水を前押ししながら玉４を掬うが、水の抵抗を網目の通水性によって逃がすので、大きな前押し波の発生を防止し玉回収部９ｃにおける玉掬いの回収効率を高めることができる。
また上昇回転に伴いバケット２４及び収容した玉４に残留付着した水の水切りを速やかに行うことができる。
【００３４】
またバケット２４がリフタ１９の玉放出部で放出姿勢になるとき、底壁２４ａと放出壁２４ｃ及び側壁２４は網目によって凹凸面により収容した複数の玉４に転がり抵抗を付与するので、バケット２４が反転移動するとき底壁２４ａから起立する放出壁２４ｃの規制作用と相俟って、玉４を平均的に放出することができる。従って、リフタ１９の玉放出部において、バケット２４の姿勢変化により玉４を一挙に放出させるあっけなさを生じさせることなく、玉４の放出変化の状態並びに分散装置２１での玉４の不規則で変化のある様子を高め使用者の興味をより喚起することができる等の特徴がある。
【００３５】
さらに図示例のバケット２４は、前記掬い壁２４ｂの外側に汲み上げた水を搬送方向下流側（前側）に放出して散水する散水具３１を設けている。この散水具３１は図４に示すように、水を収容するタンク３２の蓋部分に散水口３３を開口させており、水中を移動する際に散水口３３から入り込む水をタンク３２に溜めることができ、且つ水を収容保持したまま搬送し回転頂上部における姿勢変化に伴い、水を玉４の放出軌跡と略同じ軌跡を有して散水口３３から放出し分散装置２１に向けて所定時間散水することができる。
【００３６】
またバケット２４は正面側に位置する側壁２４ｄに装飾板３４を取付けている。この装飾板３４はバケット２４を覆い隠す大きさ並びに形状となすことにより、網目状の箱及び収容される玉４をスッキリと隠すことができる。また装飾板３４の表面に動物等の意匠を自由に施すことができるので、バケット２４部分を綺麗に飾ることができると共に、放出部位に竜等の動物の口を描くと、恰も竜が玉４を口から連続的には吐き出しているかの如きイメージを創出することができる。
【００３７】
このようにリフタ１９は、散水具３１と装飾板３４とをバケット２４を取付部材として利用することにより、両者の取付けを簡単な構造によって安定よく取付けることができる。また装飾板３４による意匠性と散水具３１による散水機能との相乗化を図ることができるため、遊技機１の外観を興味を惹くように改善すると共にファンタッジック性やゲーム性を容易に高めることができる等の特徴がある。尚、散水具３１はミストを放出するミスト発生装置にしたり、点滅するライト等を併設することができる。
【００３８】
次に分散装置２１について説明する。この分散装置２１は、前後カバー体１１，１６の間でリフタ１９の設置間隔を有して設置される分配部フレーム３６に、前後方向の支持軸３７を介して揺動可能に枢支される分配具３８と、該分配具３８の両側下方で分配部フレーム３６の左右両側に設けた延長アーム３６ａに回転可能に軸支される左右の分散具３９等から構成される。
図示例において分配部フレーム３６は板状部材の基部を前側カバー体１１の中央部に取付固定した位置から屈曲延長し、後側カバー体１６に沿わせ上方に延設した先端部に分配具３８及び分散具３９を支持している。
【００３９】
分配具３８は、合成樹脂製の透明板からなり上向きに湾曲した底壁４１に、前壁４２と後壁４３を立設した舟形形状となし、後壁４３から前壁４２に前記支持軸３７を挿入することにより回動可能に支持している。この分配具３８はバケット２４から放出される玉４を底壁４１の左右で受け、受けた方向に支持軸３７を支点に下降傾斜し同方向の分散具３９に向けて玉４を放出する。分配具３８はこのようなシーソ運動を繰り返すとき、前壁４２と後壁４３が玉４の前後方向の漏れ出しを防止し、底壁４１は湾曲面が玉４を中央に集めるように作用するので、回動傾斜によっても玉４を一挙に放出させないで、平均的に放出させつつ左右に振り分けて下方の各分散具３９に分配放出する。
【００４０】
分散具３９は合成樹脂製の着色薄板からなる複数の羽根４６を放射方向に突設し、且つ複数の羽根４６の前後に装飾板４７を設けた羽根車とし、延長アーム３６ａに取付けた支持軸４８に遊転可能に軸支している。これにより分散具３９は分配具３８から放出される玉４の供給を羽根４６が受け、支持軸４８を中心に受けた方向に回転し、玉４を左右に不規則に分散運動させて下方のシューター２２に供給する。
【００４１】
次にシューター２２について説明する。このシューター２２は、平断面視でコ字状をなし側面視で漏斗状をなす受け具５１を前側カバー体１１の裏側に沿って取付けることにより、分散装置２１から散乱状態で落下してくる各玉４を受けて漏斗斜面によって前側下部に送ることができる。また受け具５１の漏斗壁下端位置で前側カバー体１１に配給口５２開口させており、該配給口５２から漏斗壁を転動する玉４を遊技部２の遊技スペース１０に供給する構成にしている。
【００４２】
図示例の配給口５２は前側カバー体１１に隔壁スペースを介し左右に振り分けて開口形成しており、各配給口５２の上部にはスリットを形成した可撓性を有するカーテン５３を取付けている。これによりシューター２２は、前側カバー体１１に複数形成される配給口５２から玉４を、遊技スペース１０の水面に広く分散させて偏りなく供給する。また受け具５１から勢いよく飛び出そうとする玉４にカーテン５３を接触させ勢いを抑制して放出するので、水面に大きな飛沫を発生させることなくスムーズに配給することができる。
【００４３】
次に上記遊技機１の使用態様について説明する。この例では遊技部２に回遊させる玉４は、例えば金魚掬いゲームに使用されるものと同じ紙製タモを用いて掬い取ることができるボールや動物を模した形状の物品とし、遊技スペース１０では金魚掬い様のゲームが行なわれる。先ず遊技部２に所定量の水を溜めると共に、タモで掬い取り可能な大きさの各種多数の玉４を投入する。次いで水中ポンプ７及びモータ２８をＯＮする。これにより遊技部２内で水は、前側カバー体１１によって区画形成される流路を、図３で示す矢印方向に水流を形成しながら循環し玉４を浮遊状態で回遊させる。
【００４４】
またリフタ１９は矢印方向に回転し、複数のバケット２４及び散水具３１を玉回収部９ｃで順次水中に侵入移動させる。これによりバケット２４は回遊する玉４を掬い上げて捕捉し、放出部において分配具３８に向けて放出し、また散水具３１が同時的に吸水収容した水を玉放出部の所定範囲において散水する。
これによりバケット２４部から放出される玉４及び水は、回転体２３の回転方向下流側から上流側に向けて分配具３８に供給することができ、分配具３８が先ず右下方回動したのち左下方回動をなすシーソ運動をすることにより左右に振り分けられた状態で分配放出される。
【００４５】
次いで分配放出された玉４は対応する各分散具３９に向けて落下し羽根４６に接当する。接当した玉４は、分散具３９を左又は右に回転させつつ不規則な軌跡を描きながら広く分散して、前側カバー体１１と受け具５１で形成されるシューター２２に至り下部内に集合する。集合した玉４は左右の配給口５２から放出され遊技部２の遊技スペース１０に配給され、また散水された水は玉４と略同じ落下経路と自由落下をし遊技部２内に還元される。
【００４６】
遊技スペース１０に供給された玉４は、既存の玉４に混じって回遊状態となりタモ掬いゲーム等が行なわれる。このような使用において回遊する玉４が掬い取られて少なくなったときは、遊技スペース１０又は奥側流路９ｂに新たな玉４を適宜補給することによりゲームが続行される。
【００４７】
以上のように使用される遊技機１は、リフタ１９によってバケット２４が放出姿勢になり玉４が、回転体頂上部で玉放出部の所定回動範囲にわたり放出軌跡を描くこと、及び散水具３１による散水による散水模様が併合されること、並びに装飾板３４の回動、さらに分配具３８のシーソ運動等の動きに多様な変化を生じさせる。
【００４８】
そして、これらの様子は本体部３の外から透明の前側カバー体１１ａを介して観ることができると共に、玉４及び散水の飛沫等の機外飛散も防止されるためゲームを妨げることがない。また遊技スペース１０においては、配給口５２から放出される玉４の水面への供給状況、玉４や水等が回遊する多様な様子を直接的に体感することができる。
【００４９】
これにより使用者は遊技機１の本体部３により、玉４や水及び各種運動機器の多様な挙動変化による視覚的情報を通して楽しい雰囲気のなかで、遊技部２においては、一般に行なわれる金魚掬いと同様にタモを使用して玉４を掬うゲームや、釣り針を使用して玉４を引っ掛けて吊り上げる等のゲームを、従来の遊技機には無い遊技方法に展開することが可能になる。
【００５０】
また実施形態の遊技部２は本体部３の前面下部で遊技スペース１０を構成するので、子供や高齢者でも手が届きやすく遊技し易いため老若男女が楽しめる遊技ができると共に、単に水中ポンプ７を付設するだけの簡単な構造によって、玉４をリフタ１９の玉回収部９ｃに搬送してバケット２４に収容させる搬送手段を構成することができる等の特徴がある。
【００５１】
尚、実施形態において遊技機１はその本体部３を、水及び玉４を収容する容器状の遊技部２に設置する例を示したがこれに限ることなく、遊技部２と本体部３は分離可能であるため、前記特許文献等で示されるような各種ゲーム機の遊技部に対して、玉４を供給する供給装置として利用設置することができる。
【００５２】
また遊技機１は本体部３に遊技部２を設置しない場合には、デスプレー用装置として使用することができる。この場合にはシューター２２から排出された玉４を、傾斜樋等の搬送手段を設置することにより、リフタ１９の玉回収部９ｃに搬送しバケット２４に収容させるようにすることができる。また遊技機１は各壁面や装飾板３４，４７等の意匠を変更することにより、設置場所や遊技機１を使用する年齢層に応じた演出を簡単に可能にすることができる。
【符号の説明】
【００５３】
１  遊技機
２  遊技部
３  本体部
４  玉
５  水槽
７  水中ポンプ（水流発生装置）
９，９ａ  流路
９ｂ  奥側流路
９ｃ  玉回収部
１０  遊技スペース
１１，１１ａ  前側カバー体
１９  リフタ
２１  分散装置
２２  シューター
２３  回転体
２４  バケット
２４ａ  底壁
２４ｂ  掬い壁
２４ｃ  放出壁
２４ｄ  側壁
２６  支持軸
３１  散水具
３２  タンク
３３  散水口
３４  装飾板
３６  分配部フレーム
３７  支持軸
３８  分配具
３９  分散具
４１  底壁
４２  前壁
４３  後壁
４６  羽根
４８  支持軸
【図１】
0003153991.tif 000003
【図２】
0003153991.tif 000004
【図３】
0003153991.tif 000005
【図４】
0003153991.tif 000006